(57)【要約】【課題】人がアイウエアを装着したままでアイウエアに生じた曇りを取ることができるアイウエアの曇り取り装置を提供する。【解決手段】温度差により人が装着しているアイウエアに曇りが生じ得る場所に配置され、人が顔を近づけた状態でアイウエアに向くように送風口１２ａを有する送風装置１と、人の体の一部の動きによって操作されるスイッチ３あるいは人の体の一部の動きを検知するセンサ５と、スイッチ３の操作あるいはセンサ５の検知信号によって送風装置１を起動する起動部４とを備える。【選択図】図１
2019095712.tif 000002
【特許請求の範囲】
【請求項１】
温度差により人が装着しているアイウエアに曇りが生じ得る場所に配置され、人が顔を近づけた状態でアイウエアに向くように送風口を有する送風装置と、
人の体の一部の動きによって操作されるスイッチと、
該スイッチの操作によって前記送風装置を起動する起動部とを備える
アイウエアの曇り取り装置。
【請求項２】
温度差により人が装着しているアイウエアに曇りが生じ得る場所に配置され、人が顔を近づけた状態でアイウエアに向くように送風口を有する送風装置と、
人の体の一部の動きを検知するセンサと、
該センサの検知信号によって前記送風装置を起動する起動部とを備える
アイウエアの曇り取り装置。
【請求項３】
前記送風装置は、
前記送風口が形成された筐体と、
該筐体に収容された送風機とを備える
請求項１又は２に記載のアイウエアの曇り取り装置。
【請求項４】
アイウエアが前記送風口から一定距離以内に近づくのを規制するために人の顔ないし頭の所定部位に当接する規制部材をさらに備える
請求項１ないし３のいずれか１項に記載のアイウエアの曇り取り装置。
【発明の詳細な説明】
【技術分野】
【０００１】
本発明は、眼鏡、サングラス、ゴーグルなどのアイウエアに生じた曇りを取るためのアイウエアの曇り取り装置に関する。
【背景技術】
【０００２】
冬季にあって外から室内に入ったとき、脱衣所から浴室に入ったとき、スキー場やスケート場から上がって施設に入ったときなど、寒い場所から暖かい場所に移動する際、着用しているアイウエアが曇って視界が遮られることは誰もが経験することである。これは、暖かい空気が冷えたアイウエアに触れることで、触れた箇所の空気が冷やされ、水蒸気が飽和して小さな水のつぶとなり、アイウエアに付着して曇りとなるためである。
【０００３】
この場合、アイウエアを外し、濡らしたり、拭いたりして、曇りを取ることで、視界を取り戻すことができる。
【０００４】
しかし、この方法は、荷物などを持つことによって手がふさがっていて、アイウエアを外すことができない場合には、物理的に採ることができない。したがって、例えば、冷凍倉庫で荷物の出し入れに従事している者にあっては、荷物を冷凍倉庫から出したときにアイウエアに生じた曇りをどうすることもできず、曇りが晴れるまで視界がない危険な状態で荷物を持ち運ぶか、あるいは曇りが晴れるまでその場で待機するしかなかった。
【０００５】
なお、開口を有する支持台にアイウエアをセットし、アイウエアに熱風を送風することにより、アイウエアを乾燥させる装置がある（特許文献１）。しかし、この装置であっても、アイウエアを外して装置にセットしないことにはアイウエアを乾燥させることができないので、やはり、荷物などを持つことによって手がふさがっていて、アイウエアを外すことができない場合には、有効なものとはいえない。
【先行技術文献】
【特許文献】
【０００６】
【特許文献１】実開昭５５−６０１１６号のマイクロフィルム
【発明の概要】
【発明が解決しようとする課題】
【０００７】
そこで、本発明は、かかる事情に鑑みてなされたもので、人がアイウエアを装着したままでアイウエアに生じた曇りを取ることができるアイウエアの曇り取り装置を提供することを課題とする。
【課題を解決するための手段】
【０００８】
本発明に係るアイウエアの曇り取り装置は、
温度差により人が装着しているアイウエアに曇りが生じ得る場所に配置され、人が顔を近づけた状態でアイウエアに向くように送風口を有する送風装置と、
人の体の一部の動きによって操作されるスイッチと、
スイッチの操作によって送風装置を起動する起動部とを備える。
【０００９】
かかる構成によれば、アイウエアに曇りが生じたとき、送風装置に人が顔を近づけ、送風口の前にアイウエアが位置するようにした状態で、スイッチを操作して、送風装置を起動させる。あるいは、スイッチを操作して、送風装置を起動させた後、送風装置に人が顔を近づけ、送風口の前にアイウエアが位置するようにする。そうすると、送風口から風が吹き出し、アイウエアに吹き付けられ、これにより、冷えたアイウエアが温められたり、水滴が飛ばされて、アイウエアの曇りが取れる。
【００１０】
また、別の本発明に係るアイウエアの曇り取り装置は、
温度差により人が装着しているアイウエアに曇りが生じ得る場所に配置され、人が顔を近づけた状態でアイウエアに向くように送風口を有する送風装置と、
人の体の一部の動きを検知するセンサと、
センサの検知信号によって送風装置を起動する起動部とを備える。
【００１１】
かかる構成によれば、アイウエアに曇りが生じたとき、送風装置に人が顔を近づけ、送風口の前にアイウエアが位置するようにした状態で、センサを作動させて、送風装置を起動させる。あるいは、センサを作動させて、送風装置を起動させた後、送風装置に人が顔を近づけ、送風口の前にアイウエアが位置するようにする。そうすると、送風口から風が吹き出し、アイウエアに吹き付けられ、これにより、冷えたアイウエアが温められたり、水滴が飛ばされて、アイウエアの曇りが取れる。
【００１２】
ここで、本発明に係るアイウエアの曇り取り装置の一態様として、送風装置は、送風口が形成された筐体と、筐体に収容された送風機とを備える、との構成を採用することができる。
【００１３】
また、本発明に係るアイウエアの曇り取り装置の他態様として、アイウエアが送風口から一定距離以内に近づくのを規制するために人の顔ないし頭の所定部位に当接する規制部材をさらに備える、との構成を採用することができる。
【発明の効果】
【００１４】
以上の如く、本発明に係るアイウエアの曇り取り装置によれば、人がアイウエアを装着したままでアイウエアに生じた曇りを取ることができるため、荷物などを持つことによって手がふさがっているために、アイウエアを外して曇りを取ることができない場合に極めて有効である。
【図面の簡単な説明】
【００１５】
【図１】図１は、本発明の一実施形態に係るアイウエアの曇り取り装置の外観図であって、該装置により、荷物を持つことによって手がふさがっている人が、アイウエアを装着したままでアイウエアに生じた曇りを取っている様子の斜視図である。
【図２】図２（ａ）は、同曇り取り装置の正面図、図２（ｂ）は、同曇り取り装置の送風装置の正面カバーが外された状態の、同曇り取り装置の正面図である。
【図３】図３（ａ）は、同曇り取り装置の、一部断面を含む側面図、図３（ｂ）は、同曇り取り装置の、一部断面を含む上面図である。
【図４】図４は、本発明の他実施形態に係るアイウエアの曇り取り装置の側面図である。
【図５】図５（ａ）は、本発明の別の実施形態に係るアイウエアの曇り取り装置の、一部断面を含む上面図、図５（ｂ）は、別の本発明の一実施形態に係るアイウエアの曇り取り装置の正面図である。
【図６】図６は、本発明のさらに別の実施形態に係るアイウエアの曇り取り装置の要部の正面図である。
【発明を実施するための形態】
【００１６】
以下、本発明に係るアイウエアの曇り取り装置の一実施形態として、アイウエアを眼鏡とした曇り取り装置について、図面を参酌して説明する。
【００１７】
本実施形態に係る眼鏡の曇り取り装置は、図１ないし図３に示す如く、送風装置１と、送風装置１を床からの所定高さ位置に支持するためのフレーム２と、送風装置１のＯＮ−ＯＦＦ用のスイッチ３と、スイッチ３のＯＮ操作によって送風装置１を起動する起動部４とを備える。
【００１８】
送風装置１は、筐体１０と、筐体１０内に収容された送風機１５とを備える。筐体１０は、正面が開口された筐体本体１１と、筐体本体１１の正面開口を塞ぐ正面カバー１２とを備える。筐体本体１１の内部は、適宜、仕切り壁１３により仕切られ、いくつかの内部空間１４を有する。そのうちの一つは、筐体１０に人が顔を近づけた状態で眼鏡の左側（のレンズ）に対応した第一の内部空間１４ａであり、また、別の一つは、筐体１０に人が顔を近づけた状態で眼鏡の右側（のレンズ）に対応した第二の内部空間１４ｂである。
【００１９】
送風機１５は、温風を送風する温風送風機であり、その送風口１５ａが正面を向くようにして、第一の内部空間１４ａと第二の内部空間１４ｂのそれぞれに収容される。そして、正面カバー１２には、左右の送風機１５，１５のそれぞれ送風口１５ａに対応した箇所に、送風口１２ａが形成される。これにより、筐体１０に人が顔を近づけた状態で、左側の送風機１５の送風口１５ａと、筐体１０の左側の送風口１２ａと、眼鏡の左側（のレンズ）とが同一線上に位置するとともに、右側の送風機１５の送風口１５ａと、筐体１０の右側の送風口１２ａと、眼鏡の右側（のレンズ）とが同一線上に位置することとなる。
【００２０】
送風装置１は、温度差により人が装着しているアイウエアに曇りが生じ得る場所、本実施形態においては、冷凍倉庫の出入口Ｘから出たところの壁Ｙに、フレーム２を介して取り付けられる。フレーム２は、間に送風装置１を配して左右に一対設けられ、上下方向に沿って配置される。
【００２１】
フレーム２には、長手方向（上下方向）に沿ってガイド溝２０が形成される。そして、このガイド溝２０に、送風装置１の筐体１０（の例えば上下左右の四箇所）に設けられたガイド片１６がスライド自在に嵌まり込むことで、送風装置１は、上下に移動し、高さ位置が変更可能となる。
【００２２】
また、フレーム２には、長手方向（上下方向）に沿って所定間隔で孔２１が形成される。そして、いずれかの孔２１に、送風装置１の筐体（の例えば左右下部の二箇所）に設けられた可動ピン構造１７のピン１７ａが挿入することで、送風装置１は、所定の高さ位置に固定される。
【００２３】
このように、送風装置１は、筐体１０に人が顔を近づけるにあたり、人が無理な姿勢を取らないで済むように、その人の身長に応じて、高さ位置が変更可能であり、かつ、所望の高さ位置に固定できる構造となっている。
【００２４】
スイッチ３は、送風装置１から垂下したコードを介して床に置かれる足踏み式のスイッチである。スイッチ３は、筐体１０の第三の内部空間１４ｃに収容された、起動部４としての回路基板に電気的に接続される。回路基板４は、各送風機１５にも電気的に接続されており、人がスイッチ３を踏むと、スイッチがＯＮとなって、送風機１５が作動し、送風機１５から風が送風される。他方、人がスイッチ３を踏むのをやめると、スイッチがＯＦＦとなって、送風機１５が停止する。なお、回路基板４は、コンセントＺに差し込みプラグ４０を差しこんで電源を得るものであるが、一次電池や二次電池を内蔵することで、外部電源を不要にしてもよい。
【００２５】
本実施形態に係る眼鏡の曇り取り装置は、以上の構成からなり、次に、冷凍倉庫で荷物の出し入れに従事している者がその装置を使用する場合について、図１を参酌して説明する。
【００２６】
まず、人は、自身の身長に応じて送風装置１を適切な高さ位置にセットしておく。そして、荷物Ｗを冷凍倉庫から出したときに、気温差により眼鏡に曇りが生じてしまうので、この場合、人は、荷物Ｗを持ったまま、送風口１２ａの前に眼鏡が位置するように、送風装置１に顔を近づける。
【００２７】
そして、スイッチ３を踏み、送風装置１を起動させる。そうすると、壁面Ｙから手前に向かって送風口１２ａから温風が吹き出し、眼鏡に吹き付けられ、これにより、冷凍倉庫内で冷えた眼鏡が温められたり、水滴が飛ばされて、眼鏡の曇りを取ることができる。
【００２８】
このように、本実施形態に係る眼鏡の曇り取り装置によれば、人が眼鏡を装着したままで眼鏡に生じた曇りを取ることができるため、荷物などを持つことによって手がふさがっているために、眼鏡を外して曇りを取ることができない場合に極めて有効である。
【００２９】
しかも、本実施形態に係る眼鏡の曇り取り装置においては、眼鏡の左右のレンズそれぞれに対して送風機１５が設けられるため、各レンズに効率的に送風することができ、これにより、迅速に曇りを取ることができる。
【００３０】
なお、本発明に係るアイウエアの曇り取り装置は、上記実施形態に限定されるものではなく、本発明の要旨を逸脱しない範囲で種々の変更が可能である。
【００３１】
例えば、上記実施形態においては、送風装置１に設けたガイド片１６とフレーム２のガイド溝２０との組み合わせにより、送風装置１を昇降可能にするとともに、送風装置１に設けた可動ピン構造１７とフレームに設けた孔２１との組み合わせ（可動ピン構造１７のピン１７ａを引っ張りバネの力に抗して引っ張れば、孔２１に挿入されていたピン１７ａが孔２１から外れ、他方、ピン１７ａの引っ張りを解除すると、ピン１７ａが引っ張りバネにより引っ張られて孔２１に挿入される構造）により、送風装置１を所望の高さ位置に固定するものであったが、本発明に係る送風装置１を昇降させる機構は、これに限定されるものではない。一例として、図４に示す如く、一端が送風装置１に接続された紐状体２２を壁に取り付けられた定滑車２３に掛けて反転させた状態で他端に重り２４を接続して、送風装置１を常時上方に付勢するとともに、壁の高さ方向に所定間隔で取り付けた係止具２５に、送風装置１に突設したピンなどの係止体１８を下方から係止させることにより、送風装置１を所望の高さ位置に固定する構造であってもよい。
【００３２】
また、上記実施形態においては、送風装置１の送風口１２ａと眼鏡の距離は、人が顔の近づけ度合を加減することにより決めるものであった。しかし、アイウエアが送風口１２ａから一定距離以内に近づくのを規制するために、図５（ａ）に示す如く、例えば人の額に当接する規制部材１９を設けるようにしてもよい。
【００３３】
また、上記実施形態においては、スイッチ３は、足踏み式のスイッチが採用されている。しかし、本発明に係るアイウエアの曇り取り装置のスイッチは、人の体の一部の動きによって操作されるスイッチであればよい。人の体の一部とは、頭や顔、上腕、肘、肩、胸、胴体、腰、臀部、太もも、膝、脚など、スイッチを操作可能な部位である。なお、人の頭で操作するスイッチの一例として、図５（ａ）に示す如く、規制部材１９に、額が当たると押し込められてＯＮとなって送風装置１が起動する押しスイッチ３を設けることができる。
【００３４】
また、上記実施形態においては、送風装置１を起動させるためにスイッチ３が採用されている。しかし、別の本発明に係るアイウエアの曇り取り装置は、スイッチではなく、人の体の一部（頭や顔、上腕、肘、肩、胸、胴体、腰、臀部、太もも、膝、脚など）の動きを検知するセンサであってもよい。なお、頭の動きを検知するセンサの一例として、図５（ｂ）に示す如く、送風装置１の筐体１０（の正面カバー１２）に人感式のセンサ５を配置することができる。
【００３５】
また、上記実施形態においては、送風機１５は、温風送風機である。しかし、これに限定されるものではなく、単なる送風機であってもよい。
【００３６】
また、上記実施形態においては、送風機１５を筐体１０で囲うようにしている。しかし、本発明において、筐体は必須ではない。
【００３７】
また、上記実施形態においては、送風機１５は左右に一対設けられる。しかし、これに限定されるものではなく、送風機は一つであっても、三つ以上であってもよい。
【００３８】
また、上記実施形態においては、送風口１２ａは左右に一対設けられる。しかし、これに限定されるものではなく、送風口は一つであっても、三つ以上であってもよい。
【００３９】
そして、本発明に係るアイウエアの曇り取り装置は、既製品を利用して簡単に作製することができるものとして、図６に示す如く、送風機としてドライヤー１５、そして、スイッチとしてテーブルタップ３０のスイッチ３を利用することができる。詳細に説明すると、一対ないし一つあるいは三つ以上のドライヤー１５を用意し、各ドライヤー１５の電源コードの差し込みプラグ１５ｃをテーブルタップ３０の差込口に差し込み、かつ、各ドライヤー１５のスイッチ１５ｂを常時ＯＮにしておく。そして、テーブルタップ３０のスイッチ３を例えば足でＯＮ操作すれば、各ドライヤー１５を一斉に起動することができるという構成である。
【００４０】
また、上記実施形態においては、フレーム２が壁に固定された固定式である。しかし、フレームを、キャスター等の転動手段を備える可動式にすることで、曇り取り装置を可動式にしてもよい。
【符号の説明】
【００４１】
１…送風装置、１０…筐体、１１…筐体本体、１２…正面カバー、１２ａ…送風口、１３…仕切り壁、１４…内部空間、１４ａ…第一の内部空間、１４ｂ…第二の内部空間、１４ｃ…第三の内部空間、１５…送風機、１５ａ…送風口、１５ｂ…スイッチ、１５ｃ…差し込みプラグ、１６…ガイド片、１７…可動ピン構造、１７ａ…ピン、１８…係止体、１９…規制部材、２…フレーム、２０…ガイド溝、２１…孔、２２…紐状体、２３…定滑車、２４…重り、２５…係止具、３…スイッチ、３０…テーブルタップ、４…起動部（回路基板）、４０…差し込みプラグ、５…センサ、Ｘ…冷凍倉庫の出入口、Ｙ…壁、Ｚ…コンセント、Ｗ…荷物
【図１】
2019095712.tif 000003
【図２】
2019095712.tif 000004
【図３】
2019095712.tif 000005
【図４】
2019095712.tif 000006
【図５】
2019095712.tif 000007
【図６】
2019095712.tif 000008